(57)【特許請求の範囲】
【請求項１】
電磁弁本体の上部開口部がキャップによって閉鎖される一方、
前記電磁弁本体より側方へ延出した接続端子を覆う絶縁カバーの上面に、前記接続端子に接続されたハーネスを挿通する為の挿通部と、該挿通部より挿入されたハーネスを保持する保持部とが設けられた電磁弁構造において、
前記キャップに、前記接続端子側へ向けて延出した延出部と、該延出部より前記接続端子に沿って延出し装着した前記絶縁カバーの前記挿通部を閉鎖するとともに前記保持部に保持された前記ハーネスの前記挿通部側の移動を阻止する補助カバー部とを一体形成したことを特徴とする電磁弁構造。
【請求項２】
前記補助カバー部を、前記挿通部内に配置される補助カバー本体と、該補助カバー本体より延出し当該補助カバー本体を前記挿通部内に配置した状態で前記絶縁カバーの前記上面の内側面に沿って延在するスカート部とで構成したことを特徴とする請求項１記載の電磁弁構造。
【発明の詳細な説明】
【技術分野】
【０００１】
本発明は、通流を制御する電磁弁構造に関する。
【背景技術】
【０００２】
従来、油圧回路において油圧を制御する際には、電磁弁が用いられており（例えば、特許文献１）、このような電磁弁としては、図４に示すものが知られている。
【０００３】
この電磁弁８０１の電磁弁本体８０２は、金属製のカバー８０３を備えており、該カバー８０３内には、樹脂成型品８０４が収容されている。該樹脂成型品８０４には、金属プレート８０５がインサート成型されており、該金属プレート８０５より上側にボビン８０６が形成されている。
【０００４】
このボビン８０６には、コイル８１１が巻回されており、前記ボビン８０６と前記コイル８１１とによってソレノイド８１２が構成されている。このソレノイド８１２内には、コア８１３が内嵌しており、該コア８１３内には、作動軸８１４が上下動自在に挿通している。
【０００５】
前記ボビン８０６の下部側からは、ターミナル構成部８２１が側方へ延出しており、前記樹脂成型品８０４からは、ターミナル構成部８２１の上面に沿って接続端子８２２が延出している。各接続端子８２２には、前記コイル８１１を形成する巻線の端部が接続されており、これらの接続端子８２２の先端部にはハーネス８２３が半田付けされ、該ハーネス８２３を介して制御信号が供給されるように構成されている。
【０００６】
前記接続端子８２２が延出した電磁弁本体８０２の部位には、絶縁カバー８３１が取り付けられており、該絶縁カバー８３１は、前記電磁弁本体８０２側へ向けて開口した矩形容器状に形成されている。前記絶縁カバー８３１の上面８３２には、前記ハーネス８２３を挿通する為の挿通部８３３，８３３が三角形状に形成されており、各挿通部８３３，８３３の先端には、円形のハーネス保持部８３４，８３４が形成されている。
【０００７】
前記ソレノイド８１２を収容した前記カバー８０３の上端部には、キャップ８４１が設けられており、当該カバー８０３は、上部開口部が前記キャップ８４１によって閉鎖されている。これにより、電磁弁本体８０２内部へのコンタミ等の進入を防止できるように構成されている。
【０００８】
前記作動軸８１４の上端には、前記コア８１３に吸引される被吸引部８５１が設けられており、前記作動軸８１４の下端側には、前記樹脂成型品８０４に形成されたノズル部８５２にインサート成型されたシート部材８５３上面の上部シート穴８５４を開閉する上部弁体８５５が設けられている。この作動軸８１４の下端部は、前記シート部材８５３を挿通しており、該シート部材８５３を貫通した前記作動軸８１４の下端には、前記シート部材８５３の下面に設けられた下部シート穴８５６を開閉する下部弁体８５７が設けられている。
【０００９】
この下部弁体８５７と、前記ノズル部８５２に装着されたホルダ８６１との間には、コイルスプリング８６２が配設されており、前記作動軸８１４は、図中上方へ向けて付勢されている。
【００１０】
これにより、ソレノイド非通電時には、前記コイルスプリング８６２によって前記作動軸８１４が上方へ移動し、前記下部弁体８５７によって前記下部シート穴８５６を閉鎖しつつ、前記上部シート穴８５４を開放する一方、ソレノイド通電時には、前記作動軸８１４上端の前記被吸引部８５１が前記コア８１３に吸引されることによって、前記上部弁体８５５によって前記上部シート穴８５４を閉鎖しつつ、前記下部シート穴８５６を開放するように構成されている。
【特許文献１】実開平５−１２８６５号公報
【発明の開示】
【発明が解決しようとする課題】
【００１１】
しかしながら、このような電磁弁８０１にあっては、接続端子８２２を覆う絶縁カバー８３１の上面８３２には、ハーネス８２３を挿通する為の挿通部８３３，８３３が開口している。
【００１２】
このため、この挿通部８３３，８３３から金属製の糸状のコンタミが侵入し、接続端子８２２をショートする恐れがあり、ショート時には作動不良を起こしてしまう。
【００１３】
本発明は、このような従来の課題に鑑みてなされたものであり、絶縁カバー内のコンタミの侵入を防止することができる電磁弁構造を提供することを目的とするものである。
【課題を解決するための手段】
【００１４】
前記課題を解決するために本発明の請求項１の電磁弁構造にあっては、電磁弁本体の上部開口部がキャップによって閉鎖される一方、前記電磁弁本体より側方へ延出した接続端子を覆う絶縁カバーの上面に、前記接続端子に接続されたハーネスを挿通する為の挿通部と、該挿通部より挿入されたハーネスを保持する保持部とが設けられた電磁弁構造において、前記キャップに、前記接続端子側へ向けて延出した延出部と、該延出部より前記接続端子に沿って延出し装着した前記絶縁カバーの前記挿通部を閉鎖するとともに前記保持部に保持された前記ハーネスの前記挿通部側の移動を阻止する補助カバー部とを一体形成した。
【００１５】
すなわち、電磁弁本体の上部開口部を閉鎖するキャップには、前記電磁弁本体より側方へ延出した接続端子側へ向けて延出した延出部と、該延出部より前記接続端子に沿って延出する補助カバー部とが一体形成されており、前記接続端子を覆う絶縁カバー上面に開設された挿通部は、この補助カバー部によって閉鎖される。
【００１６】
このとき、前記絶縁カバー上面の保持部に保持された前記ハーネスは、前記挿通部を閉鎖した前記補助カバー部によって前記挿通部側の移動が阻止される。
【００１７】
また、請求項２の電磁弁構造においては、前記補助カバー部を、前記挿通部内に配置される補助カバー本体と、該補助カバー本体より延出し当該補助カバー本体を前記挿通部内に配置した状態で前記絶縁カバーの前記上面の内側面に沿って延在するスカート部とで構成した。
【００１８】
すなわち、前記電磁弁本体に前記キャップを装着するとともに、前記接続端子を前記絶縁カバーで覆った状態において、前記補助カバー部を構成する補助カバー本体が前記挿通部内に配置される。また、この補助カバー部より延出したスカート部が前記絶縁カバーの前記上面の内側面に沿って配置される。
【発明の効果】
【００１９】
以上説明したように本発明の請求項１の電磁弁構造にあっては、接続端子を覆う絶縁カバー上面の挿通部を、キャップに一体形成された補助カバー部によって閉鎖することができる。
【００２０】
このため、前記接続端子を覆う絶縁カバー上面にハーネスを挿通する為の挿通部が開口したままの従来と比較して、絶縁カバー内へのコンタミの侵入を許容する開口部を閉鎖することができ、絶縁性の向上を図ることができる。
【００２１】
これにより、前記絶縁カバー内に侵入したコンタミによる接続端子のショートを未然に防止することができ、コンタミによるショートに起因した作動不良を確実に防止することができる。
【００２２】
このとき、前記絶縁カバー上面の保持部に保持された前記ハーネスは、前記挿通部を閉鎖した前記補助カバー部によって前記挿通部側の移動が阻止される。このため、前記保持部に保持されたハーネスの前記挿通部側へ移動が許容された従来と比較して、使用中に生じた振動やハーネスの屈曲によって、ハーネスと前記接続端子との接続部で生じ得る破損等の不具合の発生を未然に防止することもできる。
【００２３】
加えて、前記挿通部を閉鎖する前記補助カバー部は、電磁弁本体の上部開口部を閉鎖する前記キャップに一体形成されている。このため、前記補助カバー部を別部材で形成する場合と比較して、低コスト化を図ることができる。また、部品点数を削減することができるため、組み付け工数も削減することができる。
【００２４】
また、請求項２の電磁弁構造においては、前記電磁弁本体に前記キャップを装着し前記接続端子を前記絶縁カバーで覆った状態において、前記補助カバー部を構成する補助カバー本体が前記挿通部内に配置されるとともに、この補助カバー部より延出したスカート部が前記絶縁カバーの前記上面の内側面に沿って配置される。
【００２５】
これにより、前記補助カバー本体と前記挿通部の縁部との間に形成される隙間も閉鎖することができ、小さなコンタミの侵入も防止することができる。
【発明を実施するための最良の形態】
【００２６】
以下、本発明の一実施の形態を図面に従って説明する。図１は、本実施の形態にかかる電磁弁構造を備えた電磁弁１を示す図であり、該電磁弁１は、自動車の油圧回路で使用され、油圧を制御するものである。
【００２７】
この電磁弁１の電磁弁本体１１は、図２にも示すように、金属製円筒状のカバー１２を備えており、該カバー１２内には、樹脂成型品１３が先端部より収容されている。該樹脂成型品１３内には、金属プレート１４がインサート成型されており、該金属プレート１４に前記カバー１２の先端を当接した状態で、当該カバー１２と前記樹脂成型品１３とがＣ字状の固定部材１５によって固定されている。
【００２８】
この樹脂成型品１３には、前記カバー１２内に収容されたボビン２１と、前記カバー１２より先端側に延出したノズル部２２とが形成されており、前記ボビン２１にはコイル２３が巻回されてソレノイド２４が形成されている。
【００２９】
前記ボビン２１の下部側からは、長方形状のターミナル構成部３１が側方へ延出しており、このターミナル構成部３１の両側面には、係止爪（図示省略）が突設されている。
【００３０】
前記ターミナル構成部３１の上面には、図１に示したように、長さ方向に延在する区画壁３３が中央部に延設されており、該区画壁３３の両側には、前記樹脂成型品１３から延出した第一接続端子３４及び第二接続端子３５がそれぞれに配設されている。
【００３１】
各接続端子３４，３５には、前記コイル２３を形成する巻線の端部が接続されており、これらの接続端子３４，３５先端の半田付け部３６，３６には、ハーネス３７，３７が半田付けされている。これにより、このハーネス３７，３７に接続された図外の制御装置から制御信号が供給されることによって、当該電磁弁１が作動するように構成されている。
【００３２】
このターミナル構成部３１が延出した電磁弁本体１１の部位には、絶縁カバー４１が取り付けられている。該絶縁カバー４１は、前記電磁弁本体１１側へ向けて開口した矩形容器状の容器部４２と、該容器部４２から前記電磁弁本体１１側に延出したアーム部４３，４３とによって構成されており、該アーム部４３，４３の先端部には、前記ターミナル構成部３１の側面に突設された前記係止爪と係合する係止穴４４，４４が開設されている（一方のみ図示）。
【００３３】
前記容器部４２は、前記ターミナル構成部３１に取り付けた状態で、前記第一接続端子３４を覆う第一被覆部５１と、前記第二接続端子３５を覆う第二被覆部５２とからなり、各被覆部５１，５２で対応す接続端子３４，３５を覆った状態で両接続端子３４，３５を絶縁できるように構成されている。
【００３４】
この絶縁カバー４１の前記第一被覆部５１の上面６１には、図１及び図３に示すように、前記第一接続端子３４に接続されたハーネス３７を挿通する為の第一挿通部６２が三角形状に形成されており、該一挿通部６２は、前記電磁弁本体１１側に開口するように構成されている。この第一挿通部６２奥側の頂点部には、円形の第一ハーネス保持部６３が形成されており、該第一ハーネス保持部６３は、前記ハーネス３７の被覆を挿入した状態で保持できる大きさに形成されている。
【００３５】
前記第二被覆部５２の上面７１には、前記第二接続端子３５に接続されたハーネス３７を挿通する為の第二挿通部７２が三角形状に形成されており、該二挿通部７２も、前記電磁弁本体１１側に開口するように構成されている。この第二挿通部７２の奥側の頂点部には、円形の第二ハーネス保持部７３が形成されており、該第二ハーネス保持部７３は、前記ハーネス３７の被覆を挿入した状態で保持できる大きさに形成されている。
【００３６】
一方、前記ソレノイド２４を収容した前記カバー１２の上端部には、図２に示したように、キャップ１０１が設けられており、このキャップ１０１によって前記カバー１２は、上部開口部１０２が閉鎖されている。これにより、電磁弁本体１１内部へのコンタミ等の進入を防止できるように構成されている。
【００３７】
このキャップ１０１は、金属より剛性の低い合成樹脂で形成されており、当該キャップ１０１には、前記上部開口部１０２に挿入され該上部開口部１０２を閉鎖する挿入部１１１と、該挿入部１１１を前記上部開口部１０２に挿入した状態で前記カバー１２の周面に支持する対を成す第一支持部１１２及び第二支持部１１３とが一体形成されている。
【００３８】
前記挿入部１１１は、前記カバー１２の前記上部開口部１０２に挿入される円板状に形成されており、この挿入部１１１の図中下方の端面には、干渉回避用の回避穴１２１が中央部に凹設されている。この挿入部１１１の図中上方の端面には、円形リング状のリング部１２２が一体形成されている。
【００３９】
また、前記挿入部１１１周面の図中上方の上端部には、側方へ延出する鍔部１３１が一体形成されており、該鍔部１３１は、前記カバー１２の上端面と対向するように構成されている。
【００４０】
前記各支持部１１２，１１３は、前記挿入部１１１に形成された前記リング部１２２の周面の上側より延出しており、両支持部１１２，１１３は、対向した部位に設けられている。前記第一及び第二支持部１１２，１１３は、前記挿入部１１１から離間した高さ位置で平行に延在する第一及び第二平板部１４１，１４２と、第一及び第二平板部１４１，１４２より折曲して図中下方へ延出した第一及び第二下方延出部１４３，１４４とで構成されている。
【００４１】
両各下方延出部１４３，１４４の先端部は、厚肉に形成されており、前記両延出部１４３，１４４の基端側は、前記各平板部１４１，１４２と同じ肉厚に設定されている。これにより、前記各支持部１１２，１１３には、前記下方延出部１４３，１４４の先端側の第一及び第二厚肉部１５１，１５２と、第一及び第二厚肉部１５１，１５２より基端側の第一及び第二薄肉部１５３，１５４とが形成されており、各薄肉部１５３，１５４によって当該支持部１１２，１１３に弾性が付与されている。
【００４２】
前記第一及び第二下方延出部１４３，１４４における前記各厚肉部１５１，１５２の上端側には、内側へ向けて突出した第一及び第二係合凸部１６１，１６２が突設されており、これらの係合凸部１６１，１６２は、前記カバー１２の周面に開設された第一及び第二係合穴１６３，１６４に遊嵌した状態で係合するように構成されている。
【００４３】
これにより、前記各支持部１１２，１１３の前記係合凸部１６１，１６２を前記カバー１２の前記各係合穴１６３，１６４に係合するスナップフィット構造が形成されており、このスナップフィット構造によって、当該キャップ１０１を前記カバー１２に位置決めした状態で固定できるように構成されている。
【００４４】
このとき、前記各支持部１１２，１１３の前記各係合凸部１６１，１６２は、前記カバー１２周面の前記各係合穴１６３，１６４に遊嵌することから、前記カバー１２に対して前記キャップ１０１を僅かに上下動できるように構成されている。
【００４５】
また、この固定状態において、前記キャップ１０１の前記各挿入部１１１に形成された前記鍔部１３１は、前記カバー１２の上端面から離間するように構成されており、その離間距離は、０ｍｍ〜０．３ｍｍとなるように設定されている。
【００４６】
これらによって、前記挿入部１１１は、その先端部が前記カバー１２の前記上部開口部１０２に挿入された状態で、前記鍔部１３１が前記カバー１２の上端面に押し付けられず、浮いた状態に維持されており、当該挿入部１１１は、前記カバー１２に対して抜き差し方向（図２中上下方向）への移動が可能となるように構成されている。
【００４７】
前記第一支持部１１２の長さ寸法は、前記第二支持部１１３より長く設定されており、当該第一支持部１１２の前記第一下方延出部１４３は、前記接続端子３４，３５側へ向けて延出した延出部を構成している。この延出部を構成する前記第一下方延出部１４３の先端には、当該カバー１２を前記電磁弁本体１１に装着した状態で、前記第一接続端子３４に沿って延在する第一補助カバー部２０１と、前記第二接続端子部３５に沿って延在する第二補助カバー部２０２とが一体形成されている。
【００４８】
前記第一補助カバー部２０１は、図３に示したように、前記絶縁カバー４１を前記電磁弁本体１１に装着した状態で当該絶縁カバー４１の前記第一挿通部６２を閉鎖するとともに、前記第一ハーネス保持部６３に保持された前記ハーネス３７の前記第一挿通部６２側への移動を阻止するように構成されている。また、前記第二補助カバー部２０２は、前記絶縁カバー４１を前記電磁弁本体１１に装着した状態で当該絶縁カバー４１の前記第二挿通部７２を閉鎖するとともに、前記第二ハーネス保持部７３に保持された前記ハーネス３７の前記第二挿通部７２側への移動を阻止するように構成されている。
【００４９】
前記第一補助カバー部２０１は、図２に示したように、前記第一挿通部６２内に配置される三角柱状の第一補助カバー本体２１１と、該第一補助カバー本体２１１より側方へ延出した第一スカート部２１２，２１２とによって構成されており、図３に示したように、前記第一補助カバー本体２１１を前記第一挿通部６２に内嵌した状態で前記両第一スカート部２１２，２１２が前記絶縁カバー４１の前記第一被覆部５１の前記上面６１の内側面に密着して延在するように構成されている。
【００５０】
また、前記第一補助カバー本体２１１の先端は、円弧状に形成されており、当該第一補助カバー本体２１１を前記第一挿通部６２に内嵌した状態において、当該第一補助カバー本体２１１の先端部と前記第一ハーネス保持部６３の内側面とによって、当該第一ハーネス保持部６３に保持されたハーネス３７の被覆を挟持できるように、当該第一保持カバー本体２１１の長さ寸法が設定されている。
【００５１】
前記第二補助カバー部２０２は、図２に示したように、前記第二挿通部７２内に配置される三角柱状の第二補助カバー本体２２１と、該第二補助カバー本体２２１より側方へ延出した第二スカート部２２２，２２２とによって構成されており、図３に示したように、前記第二補助カバー本体２２１を前記第二挿通部７２に内嵌した状態で、前記両第二スカート部２２２，２２２が前記絶縁カバー４１の前記第二被覆部５２の前記上面７１の内側面に密着した状態で延在するように構成されている。
【００５２】
また、前記第二補助カバー本体２２１の先端は、円弧状に形成されており、当該第二補助カバー本体２２１を前記第二挿通部７２に内嵌した状態において、当該第二補助カバー本体２２１の先端部と前記第二ハーネス保持部７３の内側面とによって、当該第二ハーネス保持部７３に保持されたハーネス３７の被覆を挟持できるように、当該第二保持カバー本体２２１の長さ寸法が設定されている。
【００５３】
前記ボビン２１内には、図２に示したように、当該ソレノイド２４で励磁される金属製のコア２５１が配設されており、該コア２５１は、その先端部が前記金属プレート１４の内嵌穴２５２に内嵌した状態で位置決めされている。前記コア２５１の先端部には、小径部２５３が形成されており、該小径部２５３は、金属製のシート部材２５４に内嵌した状態で位置決めされている。そして、互いに位置決めされた前記コア２５１と前記金属プレート１４と前記シート部材２５４とは、共に前記樹脂成型品１３にインサート成型されており、金属製の前記コア２５１と前記金属プレート１４と前記シート部材２５４と前記カバー１２とによって磁気回路が形成されている。
【００５４】
前記コア２５１には、作動軸２６１が上下動自在に挿通しており、前記コア２５１より上方へ延出した前記作動軸２６１の上端部には、前記コア２５１に吸引される円板状の被吸引部２６２が固定されている。前記コア２５１より下方へ延出した前記作動軸２６１の下端側には、前記シート部材２５４の上面に設けられた上部シート穴２６３を挿通しており、この部位には、該上部シート穴２６３を開閉する上部弁体２６４が設けられている。
【００５５】
前記作動軸２６１の下端部は、前記シート部材２５４に設けられた下部シート穴２７１を挿通しており、該シート部材２５４より下側へ延出した前記作動軸２６１の下端には、前記下部シート穴２７１を開閉する下部弁体２７２が設けられている。
【００５６】
この下部弁体２７２と、前記ノズル部２２に装着されたホルダ２８１との間には、コイルスプリング２８２が配設されており、このコイルスプリング２８２によって前記作動軸２６１は、図２中上方へ向けて付勢されている。
【００５７】
これにより、ソレノイド非通電時には、前記コイルスプリング２８２で前記作動軸２６１を上方へ移動することによって、前記下部弁体２７２で前記下部シート穴２７１を閉鎖し、入力ポート３０１から前記下部シート穴２７１を介した弁室３０２内へのオイルの流入を阻止するとともに、前記上部シート穴２６３を開放し、出力ポート３０３のオイルを前記弁室３０２及び前記上部シート穴２６３を介してドレンポート３０４から排出するように構成されている。
【００５８】
また、ソレノイド通電時には、前記作動軸２６１上端の前記被吸引部２６２を前記コア２５１に吸引して前記作動軸２６１を下方へ移動することによって、前記上部弁体２６４で前記上部シート穴２６３を閉鎖し、前記ドレンポート３０４へのオイルの排出を阻止するとともに、前記下部シート穴２７１を開放し、前記入力ポート３０１からのオイルを前記下部シート穴２７１及び前記弁室３０２を介して前記出力ポート３０３から出力するように構成されている。
【００５９】
以上の構成にかかる本実施の形態において、前記電磁弁本体１１を構成するカバー１２の上部開口部１０２を閉鎖するキャップ１０１には、前記電磁弁本体１１より側方へ延出したターミナル構成部３１上の第一接続端子３４及び第二接続端子３５側へ向けて延出した第一支持部１１２の第一下方延出部１４３と、該第一下方延出部１４３より前記各接続端子３４，３５に沿って延出する第一補助カバー部２０１及び第二補助カバー部２０２とが一体形成されており、前記各接続端子３４，３５を覆う絶縁カバー４１の第一及び第二被覆部５１，５２上面６１，７１に開設された第一及び第二挿通部６２，７２を、対応する補助カバー部２０１，２０２によって閉鎖することができる。
【００６０】
このため、前記各接続端子３４，３５を覆う前記絶縁カバー４１における前記第一及び第二被覆部５１，５２上面６１，７１にハーネス３７，３７を挿通する為の前記第一及び第二挿通部６２，７２が開口したままの従来と比較して、前記絶縁カバー４１内へのコンタミの侵入を許容する開口部を閉鎖することができ、絶縁性の向上を図ることができる。
【００６１】
これにより、前記絶縁カバー４１内に侵入したコンタミによる前記両接続端子３４，３５のショートを未然に防止することができ、コンタミによるショートに起因した作動不良を確実に防止することができる。
【００６２】
このとき、前記絶縁カバー４１の前記上面６１，７１の第一及び第二ハーネス保持部６３，７３に保持された前記ハーネス３７，３７は、前記各挿通部６２，７２を閉鎖した前記各補助カバー部２０１，２０２によって前記各挿通部６２，７２側の移動が阻止されるとともに、前記各ハーネス３７，３７は、その被覆が挟持された状態で支持されている。。
【００６３】
このため、前記各ハーネス保持部６３，７３に保持されたハーネス３７，３７の前記各挿通部６２，７２側へ移動が許容される従来と比較して、使用中に生じた振動やハーネス３７，３７の屈曲によって、各ハーネス３７，３７と前記各接続端子３４，３５とが半田付けされた半田付け部３６，３６で生じ得る剥がれ等の不具合の発生を未然に防止することもできる。
【００６４】
加えて、前記各挿通部６２，７２を閉鎖する前記各補助カバー部２０１，２０２は、電磁弁本体１１の上部開口部１０２を閉鎖する前記キャップ１０１に一体形成されている。このため、前記補助カバー部２０１，２０２を別部材で形成する場合と比較して、低コスト化を図ることができる。また、部品点数を削減することができるため、組み付け工数も削減することができる。
【００６５】
そして、前記電磁弁本体１１に前記キャップ１０１を装着し前記各接続端子３４，３５を前記絶縁カバー４１の各被覆部５１，５２で覆った状態において、前記各補助カバー部２０１，２０２を構成する各補助カバー本体２１１，２２１が前記各挿通部６２，７２内に配置されるとともに、この補助カバー本体２１１，２２１より延出した各スカート部２１２，２１２，２２２，２２２が前記絶縁カバー４１の各被覆部５１，５２の前記上面６１，７１の内側面に沿って配置される。
【００６６】
これにより、前記各補助カバー本体２１１，２２１と前記各挿通部６２，７２の縁部との間に形成される隙間も閉鎖することができ、小さなコンタミの侵入も防止することができる。
【図面の簡単な説明】
【００６７】
【図１】本発明の一実施の形態を示す斜視図である。
【図２】同実施の形態の要部を示す断面図である。
【図３】同実施の形態の平面図である。
【図４】従来の電磁弁を示す説明図である。
【符号の説明】
【００６８】
１    電磁弁
１１    電磁弁本体
１２    カバー
３４    第一接続端子
３５    第二接続端子
３７    ハーネス
４１    絶縁カバー
６１    上面
６２    第一挿通部
６３    第一ハーネス保持部
７１    上面
７２    第二挿通部
７３    第二ハーネス保持部
１０１    キャップ
１０２    上部開口部
１４３    第一下方延出部
２０１    第一補助カバー部
２０２    第二補助カバー部
２１１    第一補助カバー本体
２１２    第一スカート部
２２１    第二補助カバー本体
２２２    第二スカート部
【図１】
0004966178.tif 000002
【図２】
0004966178.tif 000003
【図３】
0004966178.tif 000004
【図４】
0004966178.tif 000005